(57)【要約】【課題】  本発明は、１つの放送局が複数のチャンネルを有して同じ番組を複数のチャンネルで放送している放送形態においても、予約番組の放送延長を確実に判断することのできる番組予約装置を提供する。【解決手段】  １つの放送局が複数のチャンネルを有する放送形態の電子番組表を用いて番組の予約を行なう番組予約装置であって、前記電子番組表に基づいて番組の予約を行なう予約手段１２と、前記予約手段１２により予約が行なわれた予約番組の番組識別番号を記憶する記憶手段１１と、前記予約番組の終了時刻前に、最新の電子番組表を取得する番組表取得手段４２と、前記最新の電子番組表において、前記予約番組の放送局が有する複数のチャンネルに、前記予約番組と同一の番組識別番号が付された変更番組があるか否かを判断する判断手段９とを有することを特徴とする。【選択図】  図３
2005217700.tif 000002
【特許請求の範囲】
【請求項１】
１つの放送局が複数のチャンネルを有する放送形態の電子番組表を用いて番組の予約を行なう番組予約装置であって、
前記電子番組表に基づいて番組の予約を行なう予約手段と、
前記予約手段により予約が行なわれた予約番組の番組識別番号を記憶する記憶手段と、
前記予約番組の終了時刻前に、最新の電子番組表を取得する番組表取得手段と、
前記最新の電子番組表において、前記予約番組の放送局が有する複数のチャンネルに、前記予約番組と同一の番組識別番号が付された変更番組があるか否かを判断する判断手段とを有することを特徴とする番組予約装置。
【請求項２】
前記判断手段は、前記予約番組の予約時の電子番組表と前記最新の電子番組表との比較を行い変更番組の有無を判断することを特徴とする請求項１に記載の番組予約装置。
【請求項３】
前記判断手段は、前記予約番組の終了時刻後の前記最新の電子番組表において、前記予約番組と同一の番組識別番号が付された番組の有無を判断することを特徴とする請求項１に記載の番組予約装置。
【請求項４】
前記判断手段により、前記予約番組と同一のチャンネルにおいて、前記予約番組と同一の番組識別番号が付された変更番組があると判断された場合、前記予約番組の終了時刻を該変更番組の終了時刻に変更することを特徴とする請求項１乃至３のいずれかに記載の番組予約装置。
【請求項５】
前記判断手段により、前記予約番組と異なるチャンネルにおいて、前記予約番組と同一の番組識別番号が付された変更番組があると判断された場合、該変更番組の予約を行なうことを特徴とする請求項１乃至４のいずれかに記載の番組予約装置。
【請求項６】
前記予約が行なわれた番組の録画を行なうことを特徴とする請求項１乃至５のいずれかに記載の番組予約装置。
【発明の詳細な説明】
【技術分野】
【０００１】
本発明は、電子番組表（ＥＰＧ）を利用してテレビ番組の録画予約等を行なう番組予約装置に関する。
【背景技術】
【０００２】
近年、放送信号とともに送信される電子番組表を利用して録画予約等を行なう装置が知られている。ところで、電子番組表は放送時間の変更等により、最新の情報に更新された電子番組表が送信されてくる。そこで、更新された電子番組表に基づいて、録画中の番組が放送延長されている場合は、録画終了時刻を変更して録画を続行する装置が知られている。（特許文献１）。
【特許文献１】特開２００１−１５５３９３号公報（段落０１１２）
【発明の開示】
【発明が解決しようとする課題】
【０００３】
しかしながら、特許文献１に記載の装置は、更新された電子番組表において録画中の番組が放送延長されているか否かだけを判断して、録画終了時刻の変更を行なうものであった。
ところで、近年のデジタル放送では、１つの放送局が複数の（例えば３つ）のチャンネルを有して放送が行なわれている。図１にＡ放送局の電子番組表の一例を示す。図１に示すように、例えば高画質映像ソースを放送することができるようにするために３つのチャンネルが有する搬送波全てを利用して、同じ番組を複数のチャンネルで放送する形態がとられている。従って、例えばプロ野球放送が延長された場合は３つのチャンネル全てで放送を延長せずに、図２に示すように１つのチャンネルで延長を行い他のチャンネルは予定通りの番組を放送している。
特許文献１に記載された装置は、録画予約した番組の終了時刻の変更の有無だけを判断しているので、このような放送形態において、他のチャンネルで放送延長が行なわれた場合には、放送延長を判断して延長放送の録画を行なうことはできないものであった。
本発明は、このような問題点に鑑みなされたものであり、１つの放送局が複数のチャンネルを有して同じ番組を複数のチャンネルで放送している放送形態においても、予約番組の放送延長を確実に判断することのできる番組予約装置を提供するものである。
【課題を解決するための手段】
【０００４】
本発明は、１つの放送局が複数のチャンネルを有する放送形態の電子番組表を用いて番組の予約を行なう番組予約装置であって、前記電子番組表に基づいて番組の予約を行なう予約手段と、前記予約手段により予約が行なわれた予約番組の番組識別番号を記憶する記憶手段と、前記予約番組の終了時刻前に、最新の電子番組表を取得する番組表取得手段と、前記最新の電子番組表において、前記予約番組の放送局が有する複数のチャンネルに、前記予約番組と同一の番組識別番号が付された変更番組があるか否かを判断する判断手段とを有することを特徴とする。
前記判断手段は、前記予約番組の予約時の電子番組表と前記最新の電子番組表との比較を行い変更番組の有無を判断することを特徴とする。
前記判断手段は、前記予約番組の終了時刻後の前記最新の電子番組表において、前記予約番組と同一の番組識別番号が付された番組の有無を判断することを特徴とする。
前記判断手段により、前記予約番組と同一のチャンネルにおいて、前記予約番組と同一の番組識別番号が付された変更番組があると判断された場合、前記予約番組の終了時刻を該変更番組の終了時刻に変更することを特徴とする。
前記判断手段により、前記予約番組と異なるチャンネルにおいて、前記予約番組と同一の番組識別番号が付された変更番組があると判断された場合、該変更番組の予約を行なうことを特徴とする。
前記予約が行なわれた番組の録画を行なうことを特徴とする。
【発明の効果】
【０００５】
本発明によれば、１つの放送局が複数のチャンネルを有して同じ番組を複数のチャンネルで放送している放送形態においても、予約番組の放送延長を確実に判断することのできる番組予約装置を提供することができる。
【発明を実施するための最良の形態】
【０００６】
次に、本発明の内容を詳細に説明するが、本発明はこれら実施の形態に何ら限定されるものではない。
【０００７】
（実施の形態１）
図３は、本発明の番組予約装置のブロック図である。主な構成として、チューナ等からなる受信部１、受信部１と外部入力端子３との少なくともいずれか一方から入力された映像音声信号を選択する切替部２、選択した映像音声信号から搬送波除去あるいは信号処理等のデコードを行うためのデコーダ４、デコーダ４の映像デコード部４１等で処理された映像信号等を画面表示するための信号処理を行う映像処理部５、画面表示するための表示部６、デコーダ４の音声デコード部４３からの音声信号を適切に処理するための音声処理部７、音声を出力するスピーカ８、これら各部を適切に制御するためにＩ２Ｃバス等のバスラインで接続された制御部であるマイコン９、ユーザーが操作するためのリモコン１２からの信号を受信するための受光部１０、マイコン９の制御に応じて各種設定値を適切に記憶保持するためのＲＯＭ１１等からなる。
【０００８】
デコーダ４を構成するＥＰＧデコード部４２では、電子番組表を画面上に表示するために、放送信号に合成されたＥＰＧデータのみを読み出す。このとき取得したＥＰＧデータは、ＲＯＭ１１に一時的に記憶させることができる。更に、ＲＯＭ１１には、異なる時間に取得した2つ以上のＥＰＧデータをそれぞれ記憶させることができ、少なくとも前回取得したＥＰＧデータと比較参照することができる。また、2つ以上のＥＰＧデータを比較する程の容量が足りない場合は、必要に応じて、各取得時間において取得したＥＰＧデータのうち予約録画又は再生を行うべく設定された番組に関する情報（放送予定時間、チャンネル、番組ＩＤ等）のみを記憶させておけば十分である。
【０００９】
図１に示すように、電子番組表の各番組には番組識別番号（番組ＩＤ）が付されている。この番組ＩＤは、同じ番組には全て同じ番組ＩＤが付されるように構成されている。例えば、プロ野球放送は、ＣＨ１、ＣＨ２、ＣＨ３の全てのチャンネルで放送されていて、全て同じ番組ＩＤ「２２」が付されている。
【００１０】
プロ野球放送が例えば一時間延長された場合は、ＣＨ１〜ＣＨ３のいずれかのチャンネルで延長放送が行なわれ、残りの２つのチャンネルでは予定通りの番組が放送される。図２に示す変更後の電子番組表の例では、ＣＨ２においてプロ野球放送の延長放送が行なわれ、ＣＨ１、ＣＨ３では予定通りの放送が行なわれている。そして、延長されたプロ野球放送に対しても、延長前の番組ＩＤと同じ番組ＩＤ「２２」が付されている。また、番組が変更になる場合は、変更となる番組の開始時刻の３０秒前に更新された電子番組表が送信される構成となっている。
【００１１】
従って、例えばプロ野球放送の予約をＣＨ２で行なっていた場合は、同じチャンネルの予約番組の変更を確認するだけで判断できるが、仮にＣＨ１又はＣＨ３でプロ野球放送の予約を行なっていた場合は、同じチャンネルの予約番組の変更を確認しただけでは延長放送の有無を判断できずに、延長放送の録画を行なうことができないという不具合が生じてしまう。
そこで、本発明では、予約を行なった番組のチャンネルだけではなく、他のチャンネルについても延長放送の有無の確認を行なうことができるように構成したものである。
【００１２】
図４に示すフローチャートに基づいて、実施の形態１の延長予約の方法を説明する。まず、電子番組表を取得し（Ｓ１）、電子番組表に基づいて所望の番組の予約を行なう（Ｓ２）。番組の予約時には、予約番組の番組ＩＤが記憶される（Ｓ３）。予約番組の開始時刻になると（Ｓ４）、録画が開始される（Ｓ５）。予約番組の終了時刻の３０秒前になると（Ｓ６）、最新の電子番組表を取得し（Ｓ７）、予約時の電子番組表と最新の電子番組表との比較を行い（Ｓ８）、変更番組の有無が判断される。変更番組がない場合は（Ｓ９）、予約番組の終了時刻になると（Ｓ１４）録画は終了される（Ｓ１５）。変更番組があった場合は（Ｓ９）、まず予約番組と同一チャンネルについて変更番組の有無が判断され、同一チャンネルの変更番組の番組ＩＤが予約番組の番組ＩＤと同じ場合は（Ｓ１０）、予約番組の終了時刻が変更番組の終了時刻に変更されて延長放送の録画が行なわれる（Ｓ１１）。同一チャンネルに変更番組がない場合、または、同一チャンネルの変更番組の番組ＩＤが予約番組の番組ＩＤと異なる場合は（Ｓ１０）、次に予約番組と同一放送局の他チャンネルについて同様の判断が行なわれる（Ｓ１２）。他チャンネルの変更番組の番組ＩＤが予約番組の番組ＩＤと同じ場合は（Ｓ１２）、予約番組の録画終了後、引き続いて他チャンネルの変更番組の録画が行なわれる（Ｓ１３）。他チャンネルに変更番組がない場合、または、他チャンネルの変更番組の番組ＩＤが予約番組の番組ＩＤと異なる場合は、予約番組の延長放送はないものと判断され（Ｓ１２）、予約番組の終了時刻になると（Ｓ１４）、録画は終了される（Ｓ１５）。
【００１３】
（実施の形態２）
実施の形態１では、予約時の電子番組表と最新の電子番組表を比較して変更番組の有無を判断していたが、実施の形態２では、電子番組表の比較を行なわずに延長放送の有無を判断する方法を示す。以下、図５に示すフローチャートに基づいて、実施の形態２における延長予約の方法を説明する。
なお、図５のＳ２１〜Ｓ２７は図４のＳ１〜Ｓ７と同じため、フローチャートの記載および説明を省略する。
【００１４】
Ｓ２７で最新の電子番組表を取得した後は、まず予約番組の終了時刻後の最新の電子番組表において、予約番組と同一チャンネルに、予約番組と同一の番組ＩＤが付された番組があるか否かが判断される（Ｓ２８）。同一の番組ＩＤが付された番組がある場合は（Ｓ２８）、予約番組の終了時刻が同一の番組ＩＤが付された番組の終了時刻に変更されて延長放送の録画が行なわれる（Ｓ２９）。同一チャンネルに、予約番組と同一の番組ＩＤが付された番組がない場合は（Ｓ２８）、次に予約番組と同一放送局の他チャンネルについて同様の判断が行なわれる（Ｓ３０）。他チャンネルに予約番組と同一の番組ＩＤが付された番組がある場合は（Ｓ３０）、予約番組の録画終了後、引き続いて他チャンネルの同一の番組ＩＤが付された番組の録画が行なわれる（Ｓ３１）。他チャンネルにも、予約番組と同一の番組ＩＤが付された番組がない場合は（Ｓ３０）、予約番組の延長放送はないものと判断され（Ｓ３０）、予約番組の終了時刻になると（Ｓ３２）、録画は終了される（Ｓ３３）。
【００１５】
なお、図４および図５のフローチャートでは、延長放送の有無の判断において、予約番組と同一チャンネルから先に確認しているが、他チャンネルから先に確認するようにしても勿論よいものである。
【００１６】
また、延長放送の録画が行なわれた場合は、延長放送の終了時刻直前においても、更に延長放送があるか否かを判断するために、以上と同様の判断および処理を行なうようにすれば、再度延長放送があった場合にも対応ができる。
【００１７】
このように、本発明では、予約番組と同一放送局の全てのチャンネルについて延長放送の確認を行なう構成としたため、確実に延長放送の有無を判断することができ、予約番組の延長放送を最後まで録画することができるものである。
【００１８】
なお、以上では、延長放送が確認された場合、自動的に録画を行なう構成として説明したが、本発明はこれに限定されるものではなく、例えば、延長放送が確認された場合、テレビ画面に延長放送があることを表示する等のように構成することもできる。
【００１９】
また、予めＲＯＭ１１に『放送時間延長のため録画（又は再生）を延長しています』といった延長録画再生作業中であることを認識できる情報等を記憶しておき、例えば延長録画中一定時間毎に画面上に表示するようにしても良い。これにより、ユーザーは現在の作業が延長録画再生中であることを認識することが可能となる
【図面の簡単な説明】
【００２０】
【図１】本発明の実施の形態１にかかる電子番組表の一例を示す図。
【図２】本発明の実施の形態１にかかる更新された電子番組表の一例を示す図。
【図３】本発明の実施の形態１にかかる番組変更装置のブロック図。
【図４】本発明の実施の形態１にかかる延長放送録画のフローチャート。
【図５】本発明の実施の形態２にかかる延長放送録画のフローチャート。
【符号の説明】
【００２１】
１      受信部
２      切替部
３      外部入力端子
４      デコーダ
４１    映像デコード部
４２    ＥＰＧデコード部（番組表取得手段）
４３    音声デコード部
５      映像処理部
６      表示部
７      音声処理部
８      スピーカ
９      マイコン（判断手段）
１０    受光部
１１    ＲＯＭ（記憶手段）
１２    リモコン（予約手段）
【図１】
2005217700.tif 000003
【図２】
2005217700.tif 000004
【図３】
2005217700.tif 000005
【図４】
2005217700.tif 000006
【図５】
2005217700.tif 000007